(57)【要約】【課題】温水の循環量を検出し、異常が発生して温水暖房装置を停止させる前に、ネットワークに介して、制御端末子機に報知する温水暖房装置を提供従すること。【解決手段】加熱装置２４にて加熱された温水が、加熱装置２４と暖房端末３４との間で循環する暖房サイクルと、暖房サイクルにて温水を循環させる循環ポンプ２５と、暖房サイクルにおける水の循環量を検出する循環量検出装置２６と、制御装置３２と、ネットワーク制御端末親機３５と制御装置３２との間で、制御信号を送受信するネットワーク送受信機３６とを備え、制御装置３２は、循環量検出装置２６にて検出した検出値に基づいて、暖房サイクルにおける温水の循環量の状態を判断するとともに、その判断した旨を、ネットワーク送受信機３６を介して、ネットワーク制御端末子機３８に報知することを特徴とする温水暖房装置。【選択図】図１
2018096654.tif 000002
【特許請求の範囲】
【請求項１】
加熱装置と、前記加熱装置にて加熱された温水が、前記加熱装置と暖房端末との間で循環する暖房サイクルと、前記暖房サイクルにて前記温水を循環させる循環ポンプと、前記暖房サイクルにおける前記温水の循環量を検出する循環量検出装置と、制御装置と、ネットワーク制御端末親機と前記制御装置との間で、制御信号を送受信するネットワーク送受信機と、を備え、前記制御装置は、前記循環量検出装置にて検出した検出値に基づいて、前記暖房サイクルにおける前記温水の循環量の状態を判断するとともに、その判断した旨を、前記ネットワーク送受信機を介して、ネットワーク制御端末子機に報知することを特徴とする温水暖房装置。
【請求項２】
前記循環量検出装置にて、前記暖房サイクルの前記温水の循環量検出を複数回実行し、前記循環量検出装置の検出値の変化状況に基づいて、前記制御装置は、前記暖房サイクルにおける前記温水の循環量の状態を判断することを特徴とする前記請求項１に記載の温水暖房装置。
【請求項３】
前記循環ポンプの駆動電圧を検出する駆動電圧検出装置を備え、前記駆動電圧検出装置にて、前記循環ポンプの駆動電圧の検出を複数回実行し、前記駆動電圧検出装置の検出値の変化状況に基づいて、前記制御装置は、前記暖房サイクルにおける前記温水の循環量の状態を判断することを特徴とする前記請求項２に記載の温水暖房装置。
【請求項４】
前記循環ポンプの回転数を検出する回転数検出装置を備え、前記回転数検出装置にて、前記循環ポンプの回転数の検出を複数回実行し、前記回転数検出装置の検出値の変化状況に基づいて、前記制御装置は、前記暖房サイクルにおける前記温水の循環量の状態を判断することを特徴とする前記請求項２に記載の温水暖房装置。
【請求項５】
表示装置を備え、前記循環量検出装置にて検出した検出値が所定値以下の場合には、前記制御装置は、前記暖房サイクルにおける前記温水の循環量の状態が異常と判断し、その旨を前記表示装置に表示する温水暖房装置において、前記表示装置に前記異常の旨を表示する前に、前記暖房サイクルにおいて前記温水の循環量が低下している旨を、前記ネットワーク送受信機を介して、前記ネットワーク制御端末子機に報知することを特徴とする前記請求項１〜４のいずれか１項に記載の温水暖房装置。
【発明の詳細な説明】
【技術分野】
【０００１】
本発明は、ネットワークに介して報知する制御を有する温水暖房装置に関するものである。
【背景技術】
【０００２】
従来のこの種の給湯管理システムには、各種のデータを記録する給湯器運転用のコントローラと、各給湯器のカルテを記録し、各給湯器の設定プログラムを管理する管理用サーバーと、前記給湯器のコントローラを遠隔操作してコントローラ内の各データを送受信する赤外線通信手段と、不具合が生じた給湯器のコントローラが記録している各データを赤外線通信手段にて携帯電話に受信し、給湯器のカルテとコントローラが記録している各データとを携帯電話で照合することが記載されている（例えば、特許文献１参照）。
【先行技術文献】
【特許文献】
【０００３】
【特許文献１】特開２００５−１２１２５１号公報
【発明の概要】
【発明が解決しようとする課題】
【０００４】
しかしながら、前記従来の構成では、給湯器の内部の運転状況を監視しながら、不具合を検出する具体的な構成が、開示されていない。
【０００５】
本発明は、前記従来の課題を解決するもので、温水の循環量を検出し、異常が発生して温水暖房装置を停止させる前に、ネットワークに介して、制御端末子機に報知することで、使用性を向上させた温水暖房装置を提供することを目的とする。
【課題を解決するための手段】
【０００６】
前記従来の課題を解決するために、本発明の温水暖房装置は、加熱装置と、前記加熱装置にて加熱された温水が、前記加熱装置と暖房端末との間で循環する暖房サイクルと、前記暖房サイクルにて前記温水を循環させる循環ポンプと、前記暖房サイクルにおける前記温水の循環量を検出する循環量検出装置と、制御装置と、ネットワーク制御端末親機と前記制御装置との間で、制御信号を送受信するネットワーク送受信機と、を備え、前記制御装置は、前記循環量検出装置にて検出した検出値に基づいて、前記暖房サイクルにおける前記温水の循環量の状態を判断するとともに、その判断した旨を、前記ネットワーク送受信機を介して、ネットワーク制御端末装置子機に報知するものである。
【０００７】
これにより、温水の循環量を検出し、異常が発生して温水暖房装置を停止させる前に、ネットワークに介して、制御端末子機に報知することで、使用性を向上させた温水暖房装置を提供できる。
【発明の効果】
【０００８】
本発明の温水暖房装置によれば、温水の循環量を検出し、異常が発生して温水暖房装置を停止させる前に、ネットワークに介して、制御端末子機に報知することで、使用性を向上させた温水暖房装置を提供できる。
【図面の簡単な説明】
【０００９】
【図１】本発明の実施の形態１における温水暖房装置の構成図
【図２】同暖房サイクルの循環量に基づく予測報知の概略図
【図３】同暖房サイクルの循環量に基づく他の予測報知の概略図
【図４】同循環ポンプの駆動電圧に基づく予測報知の概略図
【図５】同循環ポンプの回転数に基づく予測報知の概略図
【発明を実施するための形態】
【００１０】
第１の発明は、加熱装置と、前記加熱装置にて加熱された温水が、前記加熱装置と暖房端末との間で循環する暖房サイクルと、前記暖房サイクルにて前記温水を循環させる循環ポンプと、前記暖房サイクルにおける前記温水の循環量を検出する循環量検出装置と、制御装置と、ネットワーク制御端末親機と前記制御装置との間で、制御信号を送受信するネットワーク送受信機と、を備え、前記制御装置は、前記循環量検出装置にて検出した検出値に基づいて、前記暖房サイクルにおける前記温水の循環量の状態を判断するとともに、その判断した旨を、前記ネットワーク送受信機を介して、ネットワーク制御端末装置子機に報知する温水暖房装置である。
【００１１】
これにより、温水の循環量を検出し、異常が発生して温水暖房装置を停止させる前に、ネットワークに介して、制御端末子機に報知することで、使用性を向上させた温水暖房装置を提供できる。
【００１２】
また、これにより、前記制御装置が、前記加熱装置を運転させ、前記暖房端末を循環する前記温水を生成する時に、前記暖房端末を循環する前記温水の循環量がある一定値未満となったときに、前記制御装置から、前記ネットワーク端末親機を介して、前記温水の循環量が低下していることを発信するとなり、例えば、前記暖房サイクルの配置されている水フィルターに配管のさびやごみが付着し、異常が発生して装置を停止させる前に、装置の修理等を行うサービスマンが、装置の水フィルターの掃除などをして、前記暖房サイクルを構成する配管のごみ等による詰まりを除去することができる。
【００１３】
第２の発明は、特に、第１の発明において、前記循環量検出装置にて、前記暖房サイクルの前記温水の循環量検出を複数回実行し、前記循環量検出装置の検出値の変化状況に基づいて、前記制御装置は、前記暖房サイクルにおける前記温水の循環量の状態を判断することを特徴とするものである。
【００１４】
これにより、異常運転停止の直前に循環量が低下していることを報知するのではなく、流量の低下予測をすることで、余裕を持って報知ことができるので、使用性を向上させた温水暖房装置を提供できる。
【００１５】
第３の発明は、特に、第２の発明において、前記循環ポンプの駆動電圧を検出する駆動電圧検出装置を備え、前記駆動電圧検出装置にて、前記循環ポンプの駆動電圧の検出を複数回実行し、前記駆動電圧検出装置の検出値の変化状況に基づいて、前記制御装置は、前記暖房サイクルにおける前記温水の循環量の状態を判断することを特徴とするものである。
【００１６】
これにより、前記駆動電圧検出装置の検出値の変化状況に基づいて、制御装置が、前記暖房サイクルにおける前記温水の循環量の状態を判断する制御のため、前記温水の循環量が減少してきたとき、循環ポンプの駆動電圧を上昇させて、前記温水の循環量を増加させていることを確認できるので、この駆動電圧の上昇度合いより、水フィルター詰まりの状態を容易に判断し、暖房サイクルの水フィルター点検のメッセージをより早めに報知することができる。
【００１７】
また、直接的に検出可能な循環ポンプの駆動電圧により、前記暖房サイクルの異常を確認する制御のため、メッセージの誤報知等を防止できる。
【００１８】
第４の発明は、特に、第２の発明において、前記循環ポンプの回転数を検出する回転数検出装置を備え、前記回転数検出装置にて、前記循環ポンプの回転数の検出を複数回実行し、前記回転数検出装置の検出値の変化状況に基づいて、前記制御装置は、前記暖房サイクルにおける前記温水の循環量の状態を判断することを特徴とするものである。
【００１９】
これにより、前記回転数検出装置の検出値の変化状況に基づいて、制御装置が、前記暖房サイクルにおける前記温水の循環量の状態を判断する制御のため、前記温水の循環量が減少してきたとき、循環ポンプの回転数を上昇させて、前記温水の循環量を増加させていることを確認できるので、この回転数の上昇度合いより、水フィルター詰まりの状態を容易に判断し、暖房サイクルの水フィルター点検のメッセージをより早めに報知することができる。
【００２０】
また、直接的に検出可能な循環ポンプの回転数により、前記暖房サイクルの異常を確認する制御のため、メッセージの誤報知等を防止できる。
【００２１】
第５の発明は、特に、第１〜４のいずれか１つの発明において、表示装置を備え、前記循環量検出装置にて検出した検出値が所定値以下の場合には、前記制御装置は、前記暖房サイクルにおける前記温水の循環量の状態が異常と判断し、その旨を前記表示装置に表示する温水暖房装置において、前記表示装置に前記異常の旨を表示する前に、前記暖房サイクルにおいて前記温水の循環量が低下している旨を、前記ネットワーク送受信機を介して、前記ネットワーク制御端末子機に報知することを特徴とする表示装置を備え、前記循環量検出装置にて検出した検出値が所定値以下の場合には、前記制御装置は、前記暖房サイクルにおける前記温水の循環量の状態が異常と判断し、その旨を前記表示装置に表示する温水暖房装置において、前記表示装置に前記異常の旨を表示する前に、前記暖房サイクルにおいて前記温水の循環量が低下している旨を、前記ネットワーク送受信機を介して、前記ネットワーク制御端末子機に報知することを特徴とするものである。
【００２２】
これにより、前記ネットワーク送受信機を介して、前記ネットワーク制御端末子機に報知することにより、前記暖房サイクルの異常の予測状態が、可視的に可能（グラフとメッセージなどで表示）となるため、よりサービスマンや使用者が状態を確認しやすくなり、事前の対処することができる。
【００２３】
以下、本発明の実施の形態について、図面を参照しながら説明する。なお、この実施の形態によって、本発明が限定されるものではない。
【００２４】
（実施の形態１）
図１は、本発明の第１の実施の形における温水暖房装置の概略図を示すものである。
【００２５】
図１において、加熱装置は、ヒートポンプサイクル２４であり、ヒートポンプサイクル２４では、圧縮機２０で圧縮された高圧冷媒が、放熱器２１にて放熱し、減圧装置２２にて減圧後、蒸発器２３に送られる。
【００２６】
冷媒には、Ｒ４１０Ａを用いているが、その他の冷媒を用いることもできる。放熱器２１は、ステンレスのプレートを積み重ねた熱交換器を用いているが、２重の銅管で構成した熱交換器を使用しても良い。
【００２７】
循環ポンプ２５は、放熱器２１にて加熱させた温水を、温水往き配管２８を通して暖房端末３４に送る。暖房端末３４にて室内を暖房することで放熱された温水は、循環ポンプ２５で温水戻り配管２９を通って、再度放熱器２１に送られる。
【００２８】
すなわち、暖房端末３４で放熱され、温水戻り配管２９を通って、再度放熱器２１に送られてきた温水が、放熱器２１で冷媒により加熱され、再度暖房端末３４に送られることで、温水が循環する暖房サイクルを構成しているのである。
【００２９】
なお、温水は、暖房端末３４を通過後、温水戻り配管２９の配置されている水フィルター２７を通り、再度放熱器２１にて加熱され、その後、温水往き配管２８に配置され、温水の循環量を検出する循環量検出装置２６を通り、暖房端末３４に送られることで、温水が暖房サイクルを循環するたびに、循環量検出装置２６や水フィルター２７を通る構成となっている。
【００３０】
また、温水往き配管２８には、出湯温度検出手段３１が配置されており、温水戻り配管２９には、入水温度検出手段３０が配置されており、使用者がリモコン３３にて暖房端末３４の能力あるいは循環する温水の温度を設定できるようになっている。
【００３１】
そして、暖房端末３４の能力あるいは循環する温水の温度に基づいて、出湯温度検出手段３１の目標値は設定され、かつ、出湯温度検出手段３１の検出値と入水温度検出手段３０の検出値との温度差が、所定温度差となるように、制御装置３２は、循環ポンプ２５の回転数、すなわち、暖房サイクルにおける温水の循環量を制御している。
【００３２】
すなわち、出湯温度検出手段３１の検出値と入水温度検出手段３０の検出値との温度差が、目標温度差に対して小さい場合は、循環ポンプ２５の回転数、すなわち、暖房サイクルにおける温水の循環量が大きくなるように制御している。
【００３３】
逆に、出湯温度検出手段３１の検出値と入水温度検出手段３０の検出値との温度差が、目標温度差に対して大きい場合は、循環ポンプ２５の回転数、すなわち、暖房サイクルにおける温水の循環量が小さくなるように制御している。
【００３４】
制御装置３２には、表示装置４１が配置され、かつ、循環ポンプ２５の電動機の駆動電圧検出装置３９および回転数検出装置４０も、制御装置３２に設置されている。
【００３５】
そして、循環量検出装置２６や駆動電圧検出装置３９や回転数検出装置４０の検出値を用いて、水フィルター２７の詰まり状況を判断し、その判断結果が、ネットワーク制御端末親機３５とネットワーク送受信機（ルータ）３６を介して、ネットワーク回路３７を通じ、ネットワーク制御端末子機３８に発信される。
【００３６】
これにより、ネットワーク制御端末子機３８にて、水フィルター２７の詰まり状況の判断結果が、使用者や、水フィルター２７の交換等を行うサービスマンに、報知される。
【００３７】
なお、温水暖房装置には、循環量検出装置２６や駆動電圧検出装置３９や回転数検出装置４０の検出値にて検出した検出値が所定値以下の場合には、制御装置３２は、暖房サイクルにおける温水の循環量の状態が異常と判断、言い換えると、水フィルター２７が詰まっていると判断し、その判断結果を、表示装置４１にその異常の旨を表示する前に、ネットワーク送受信機３６を介して、ネットワーク制御端末子機３８に報知することで、使用者やサービスマンがその状況を認識できるのである。
【００３８】
さらには、その暖房サイクルにおける温水の循環量の状態を、可視的に可能（グラフとメッセージなどで表示）とすることで、サービスマンや使用者がその状態を認識しやすくなり、温水暖房装置が停止する前に、水フィルター２７を事前に交換する等の事前対処ができる。
【００３９】
図２は、本発明の実施の形態１の暖房サイクルの循環量に基づく予測報知の概略図である。
【００４０】
水フィルター２７に配管のさびやごみが付着し、循環量検出装置２６が、暖房サイクルの温水の循環量が、温水暖房装置が正常に運転動作できる流量より小さくなり、所定値（予告報知する値）に到達したことを検出した時に、ネットワーク制御端末子機３８に、水フィルター２７が詰まっている旨を予告報知するものである。
【００４１】
なお、前記所定値は、制御装置３２が温水暖房装置を停止させる値（異常停止させる値）より、所定値大きい値である。
【００４２】
これにより、サービスマンが水フィルター２７の掃除や、暖房サイクルの配管のつまり除去、あるいは、水フィルター２７の交換が、温水暖房装置が異常停止する前に可能となる。
【００４３】
図３は、本実施の形態１の暖房サイクルの循環量に基づく他の予測報知の概略図である。
【００４４】
図３においては、循環量検出装置２６が、暖房サイクルの温水の循環量の検出を複数回実行し、循環量検出装置２６の検出値の変化状況に基づいて、制御装置３２が、暖房サイクルにおける温水の循環量の低下度合い（低下勾配）を判断して、温水暖房装置を異常停止させる前に、ネットワーク制御端末子機３８に、水フィルター２７が詰まっている旨を予告報知するものである。
【００４５】
温水の循環量の検出周期は１０分毎であり、その検出値を、制御装置３２のＥＥＰＲＯＭに格納する。１０分毎に格納された循環量の値は、２４時間の最低流量をその２４時間の流量としてＥＥＰＲＯＭに保持し、次の２４時間の計測したときに１０分毎のデータを破棄する。この繰り返して、２４時間毎の流量データの蓄積ができる。
【００４６】
そして、２４時間毎の流量データの推移を検出し、直近３日分（７２時間）の近似直線の勾配変化で、５００時間以内に異常停止流量（温水暖房装置が異常停止する流量）に達すると判断したとき、予告報知を行う構成としている。
【００４７】
以上のように、本実施の形態においては、温水暖房装置の温水の循環量を複数回検知することにより、温水暖房装置が異常運転停止する直前に、温水の循環量が低下していることを報知するのではなく、温水の循環量の低下度合い（低下勾配）により、サービスマンが水フィルター２７の掃除や、暖房サイクルの配管のつまり除去、あるいは、水フィルター２７の交換の適正時期を容易に予測することで、使用性の高い温水暖房装置を提供できるものである。
【００４８】
また、本実施形態の循環量検出装置２６の検出したデータをＥＥＰＲＯＭに格納した後、次の２４時間の計測したときに１０分毎のデータを破棄することにより、コストアップを抑えつつ、流量データの推移から分析することができる。
【００４９】
図４は、本実施の形態１の循環ポンプ２５の駆動電圧に基づく予測報知の概略図である。
【００５０】
図４においては、駆動電圧検出装置３９が、暖房サイクルの温水の循環量の検出を複数回実行し、駆動電圧検出装置３９の検出値の変化状況に基づいて、制御装置３２が、循環
ポンプ２５の駆動電圧の上昇度合い（上昇勾配）を判断して、温水暖房装置を異常停止させる前に、ネットワーク制御端末子機３８に、水フィルター２７が詰まっている旨を予告報知するものである。
【００５１】
循環ポンプ２５の駆動電圧の検出周期は１０分毎であり、その検出値を制御装置３２のＥＥＰＲＯＭに格納する。１０分毎に格納された駆動電圧の値は、２４時間の最大の駆動電圧をその２４時間の駆動電圧としてＥＥＰＲＯＭに保持し、次の２４時間の計測したときに１０分毎のデータを破棄する。この繰り返して、２４時間毎の駆動電圧のデータの蓄積ができる。
【００５２】
そして、２４時間毎の駆動電圧の推移を検出し、直近３日分（７２時間）の近似直線の勾配変化で、５００時間以内に上限駆動電圧（温水暖房装置が異常停止する駆動電圧）に達すると判断したとき、予告報知を行う構成としている。
【００５３】
以上のように、本実施の形態においては、温水暖房装置の循環ポンプ２５の駆動電圧を複数回検知することにより、温水暖房装置が異常運転停止する直前に、循環ポンプ２５の駆動電圧が上昇していることを報知するのではなく、循環ポンプ２５の駆動電圧の上昇度合い（上昇勾配）により、サービスマンが水フィルター２７の掃除や、暖房サイクルの配管のつまり除去、あるいは、水フィルター２７の交換の適正時期を容易に予測することで、使用性の高い温水暖房装置を提供できるものである。
【００５４】
また、本実施の形態の駆動電圧検出装置３９の検出したデータをＥＥＰＲＯＭに格納した後、次の２４時間の計測したときに１０分毎のデータを破棄することにより、コストアップを抑えつつ、循環ポンプ２５の駆動電圧のデータの推移から分析することができる。
【００５５】
図５は、本実施の形態１の循環ポンプ２５の回転数に基づく予測報知の概略図である。
【００５６】
図５においては、回転数検出装置４０が、循環ポンプ２５の回転数の検出を複数回実行し、回転数検出装置４０の検出値の変化状況に基づいて、制御装置３２が、循環ポンプ２５の回転数の上昇度合い（上昇勾配）を判断して、温水暖房装置を異常停止させる前に、ネットワーク制御端末子機３８に、水フィルター２７が詰まっている旨を予告報知するものである。
【００５７】
循環ポンプ２５の回転数の検出周期は１０分毎であり、その検出値を制御装置３２のＥＥＰＲＯＭに格納する。１０分毎に格納された回転数の値は、２４時間の最大の回転数をその２４時間の駆動電圧としてＥＥＰＲＯＭに保持し、次の２４時間の計測したときに１０分毎のデータを破棄する。この繰り返して、２４時間毎の回転数のデータの蓄積ができる。
【００５８】
そして、２４時間毎の回転数の推移を検出し、直近３日分（７２時間）の近似直線の勾配変化で、５００時間以内にポンプ上限回転数（温水暖房装置が異常停止する循環ポンプ２５の回転数）に達すると判断したとき、予告報知を行う構成としている。
【００５９】
以上のように、本実施の形態においては、温水暖房装置の循環ポンプ２５の回転数を複数回検知することにより、温水暖房装置が異常運転停止する直前に、循環ポンプ２５の回転数が上昇していることを報知するのではなく、循環ポンプ２５の回転数の上昇度合い（上昇勾配）により、サービスマンが水フィルター２７の掃除や、暖房サイクルの配管のつまり除去、あるいは、水フィルター２７の交換の適正時期を容易に予測することで、使用性の高い温水暖房装置を提供できるものである。
【００６０】
また、本実施の形態の回転数検出装置４０の検出したデータをＥＥＰＲＯＭに格納した後、次の２４時間の計測したときに１０分毎のデータを破棄することにより、コストアップを抑えつつ、循環ポンプ２５の回転数のデータの推移から分析することができる。
【産業上の利用可能性】
【００６１】
以上のように、本発明にかかる温水暖房装置は、温水の循環量を検出し、異常が発生して温水暖房装置を停止させる前に、ネットワークに介して、制御端末子機に報知することが可能であり、加熱装置として、ヒートポンプサイクル、ガス、石油等を用いた温水暖房装置に適用できる。
【符号の説明】
【００６２】
２０  圧縮機
２１  放熱器
２２  減圧装置
２３  蒸発器
２４  ヒートポンプサイクル（加熱装置）
２５  循環ポンプ
２６  循環量検出装置（流量センサ）
２７  水フィルター
２８  温水往き配管
２９  温水戻り配管
３０  入水温度検出手段
３１  出湯温度検出手段
３２  制御装置
３３  リモコン
３４  暖房端末
３５  ネットワーク制御端末親機
３６  ネットワーク送受信機（ルータ）
３７  ネットワーク回路（インターネット）
３８  ネットワーク制御端末子機
３９  駆動電圧検出装置
４０  回転数検出装置
４１  表示装置
【図１】
2018096654.tif 000003
【図２】
2018096654.tif 000004
【図３】
2018096654.tif 000005
【図４】
2018096654.tif 000006
【図５】
2018096654.tif 000007